(57)【要約】      （修正有）【課題】組立て・分解が容易で使用時、不使用時ともに省スペースを実現するとともに、使用時には様々な状況に適応して所定形状に湾曲させることができる背景用スクリーンを提供する。【解決手段】背景用スクリーン１００は、矩形のシート状部材からなるスクリーンＳとスクリーンを湾曲させた状態で保持する支持用ステイと、スクリーンＳと支持用ステイを接合させる接合機構を有し、スクリーンＳを湾曲させた状態を維持しながら無段階に高さ位置を調節する。支持用ステイは、２本の支柱Ｐａ、Ｐｂと、それらを繋ぐ横架材Ｂａ、Ｂｂにより構成されている。【選択図】図１
0003229409.tif 000002
【実用新案登録請求の範囲】
【請求項１】
テレビ会議やリモート会議等インターネットによる遠隔拠点間のコミュニケーション時においてカメラに室内の様子が写ることを防止する目的で使用する背景用スクリーンであって、矩形のシート状部材からなるスクリーンと前記スクリーンを保持する支持用ステイとを備え、支持用ステイ側に設けたアール形状により前記スクリーンを所定形状に湾曲させた状態を保持すること、及び／又は、前記支持ステイに対して前記スクリーンを所定高さ位置に高さ調節した状態を保持することを特徴とする背景用スクリーン。
【請求項２】
テレビ会議やリモート会議等インターネットによる遠隔拠点間のコミュニケーション時においてカメラに室内の様子が写ることを防止する目的で使用する背景用スクリーンであって、矩形のシート状部材からなるスクリーンと前記スクリーンを保持する支持用ステイと、前記スクリーンと前記支持用ステイを接合させる金属板と磁石によって構成される接合機構とを備え、前記スクリーンを所定形状に湾曲した状態を保持すること、及び／又は、前記支持ステイに対して前記スクリーンを所定高さ位置に高さ調節した状態を保持することを特徴とする背景用スクリーン。
【請求項３】
前記支持用ステイは複数のシート状部材からなり、前記複数のシート状部材は折り曲げて各々を嵌め合わせることによって使用時の湾曲した形状になるように形成され、嵌め合わせを解消し分解することで、元の平板のシート状に戻ることを特徴とする請求項１又は２に記載の背景用スクリーン。
【請求項４】
前記支持用ステイは複数の支柱と、前記複数の支柱を繋ぐ複数の横架材により構成され、前記複数の横架材には、前記スクリーンの接触する部分に前記スクリーンを湾曲させ、湾曲状態を維持するためのアール形状が形成されていることを特徴とする請求項１又は２に記載の背景用スクリーン。
【請求項５】
前記接合機構は、前記支持用ステイに配される磁石と、前記スクリーン背面に配される金属板によって構成されるか、または、前記支持用ステイに配される金属板と、前記スクリーン背面に配される磁石によって構成されることを特徴とする請求項２に記載の背景用スクリーン。
【請求項６】
前記接合機構は、前記支持用ステイに配される磁石と、前記スクリーン背面に配される金属板によって構成されることを特徴とし、更に具体的には、前記支持用ステイを構成する支柱の前記スクリーン背面に接する面に配される磁石と、スクリーン背面の、前記支柱の位置に対応した位置に配される磁性を有する金属板によって構成されることを特徴とする請求項２又は５に記載の背景用スクリーン。
【請求項７】
前記支持用ステイがジャバラ状に折り畳まれることを特徴とする請求項１又は２に記載の背景用スクリーン。
【請求項８】
前記支持用ステイと前記スクリーンは段ボール製であり、前記段ボール製のスクリーンは、その段ボールの折り畳み線やスリットを利用して湾曲させることを特徴とする請求項１または２に記載の背景用スクリーン。
【請求項９】
前記支持用ステイと前記スクリーンは段ボール製であり、これら互いの接触面に設けたスリットを利用して掛止して湾曲させることを特徴とする請求項１又は２に記載の背景用スクリーン。
【請求項１０】
前記背景用スクリーンが上部スクリーンと下部スクリーンに分割され、前記上部スクリーンの下端と前記下部スクリーンの上端には、複数本の切り込みにより複数に分割されて嵌め合わせ部が形成され、前記上部スクリーンの下端と前記下部スクリーンの上端の前記嵌め合わせ部を前後交互に嵌め合わせることにより前記上部スクリーンと前記下部スクリーンが連結されていることを特徴とする請求項１又は２に記載の背景用スクリーン。
【請求項１１】
前記上部スクリーンの下端と前記下部スクリーンの上端の前記嵌め合わせ部の端部に切り込みが設けられて折り曲げ面が形成され、前記上部スクリーンと前記下部スクリーンを連結させるとき、前記上部スクリーンと前記下部スクリーンの前記折り曲げ面が折り曲げられて互いに接触することを特徴とする請求項１０に記載の背景用スクリーン。
【考案の詳細な説明】
【技術分野】
【０００１】
本考案は、ウェブ会議やテレビ会議等、リモート会議時に使用する背景用スクリーンに関する。
【背景技術】
【０００２】
ＩＴ技術の向上やインターネット環境の整備、オフィスでの勤務からオフィス以外での勤務へのシフトや性別を問わない育児参加等、働き方の見直しに加えて、感染症の拡散防止の観点から、ＰＣやタブレット端末、ウェブカメラ等を利用して、遠隔拠点を繋いで映像・音声のやり取り、資料の共有を行うことができるコミュニケーションツールとしてのリモート会議の使用頻度、重要性が増している。
特に在宅でリモート会議に参加する場合、参加者自身を移すカメラに室内の様子が写り込んでしまうことにより、プライバシーの侵害やリモート会議のＴＰＯに適さない背景になってしまうなどの問題が生じる。
そこで図１５に示すような背景用のスクリーンや衝立などを利用して、上記問題の解消を行っている。
【０００３】
また、特許文献１には、その要約において「（課題）構造物としての安定性に優れると共に、組み立て及び折り畳みを簡単に行うことができる組み立て構造物を提供すること。」として、「（解決手段）組み立て構造物１は、屈曲部１３ｈにより互いに接続される第１パネル１０１及び第２パネル１０２を有し、屈曲部１３ｈにおいて第１パネル１０１と第２パネル１０２とを折り畳み状態及び平板状の展開状態の間で変形可能なメインパネル１０と、展開状態のメインパネル１０の幅方向の側辺１０ｅにそれぞれ配置され、メインパネル１０の側辺１０ｅと対向する位置の一部に開口部２０ａ，２０ｂを有する一対のサイドパネル２０と、展開状態のメインパネル１０の側辺１０ｅにサイドパネル２０が配置された状態で、サイドパネル２０の開口部２０ａ，２０ｂから挿入され、第１パネル１０１及び第２パネル１０２と係合してメインパネル１０とサイドパネル２０とを一体的に固定する固定具３０と、を備える。」と記載されている。
【０００４】
さらに特許文献２には、その要約において、「（課題）高さ調整して使用できる衝立を提供する。」として、「（解決手段）脚体２１と、脚体２１から起立した下枠体２８と、下枠体２８に対し一部どうしが上下摺動可能に相対的に挿入する関係にある上枠体２９と、前記上下摺動により高さが調整された上枠体２９を下枠体２８に対して係止する枠体係止装置と、上端が上枠体２９の上端部に取り付けられて上枠体２９及び下枠体２８の枠内空間を覆うように垂下する幕体１５と、幕体１５をその下端側から巻き付ける巻軸１８と、前記巻き付けにより丈が調整された幕体１５を巻軸１８から巻き解かれないようにする巻解停止装置１９、２６とを備えた衝立。」と記載されている。
【先行技術文献】
【特許文献】
【０００５】
【特許文献１】特開２０１９−１７８６００号
【特許文献２】実用新案登録第３１７６１６７号
【考案の概要】
【考案が解決しようとする課題】
【０００６】
しかし、従前の技術では室内の様子が完全に映り込まないようにするためには比較的大きな面積のスクリーンや衝立が必要になり、折り畳み可能なものは存在するが、使用時、不使用時の両方での省スペースの実現や、それと同時に使用状況、使用場所、使用機器に応じたスクリーンの配置調節などの課題がある。
また、リモートで行われるコミュニケーションの内容に適したスクリーンへの交換も困難であるという課題を有している。すなわち、カメラ位置との関係で、柔軟に変更使用が可能なものが望まれる。
【０００７】
そこで本考案の目的は、組立て・分解が容易で使用時、不使用時ともに省スペースを実現するとともに、使用時には様々な状況に適応して変更使用が可能であり、そしてプライバシーを保護する背景用スクリーンを低コストで提供することにある。
【課題を解決するための手段】
【０００８】
本考案は、テレビ会議やリモート会議等インターネットによる遠隔拠点間のコミュニケーション時にカメラに室内の様子が写ることを防止する目的で使用する背景用スクリーンであって、矩形のシート状部材からなるスクリーンと前記スクリーンを保持する支持用ステイとを備え、支持用ステイ側に設けたアール形状により前記スクリーンを所定形状に湾曲させた状態で保持すること、及び／又は、前記支持ステイに対して前記スクリーンを所定高さ位置に高さ調節したりした状態を保持することを特徴とする。また、リモート会議等、インターネットによる遠隔拠点間のコミュニケーション時にカメラに室内の様子が写ることを防止する目的で使用する背景用スクリーンであって、矩形のシート状部材からなるスクリーンと前記スクリーンを保持する支持用ステイと、前記スクリーンと前記支持用ステイを接合させる接合機構とを備え、前記スクリーンを所定形状に湾曲させた状態を保持すること、及び／又は、前記支持ステイに対して前記スクリーンを所定高さ位置に高さ調節した状態を保持することを特徴とする。ここで、「スクリーンを所定形状に湾曲させ」るとは、スクリーンの一部分でも湾曲する部分があればよく、他の部分に直線状の部分を含む場合があるものとする。
本考案によれば、スクリーンを湾曲させた状態で保持きるので、平板状のスクリーンと比較して省スペースを実現しつつ、カメラによる室内の写り込みを防ぐことができる。
また、コミュニケーション中の使用者の使用状態（着席状態か起立状態か、ＰＣ・カメラの設置場所など）や、使用するカメラによって異なる撮影範囲に影響されずに室内の写り込みを防ぐよう無段階の高さ調節を行うことができる。
また、スクリーンと支持用ステイが別体であり、スクリーンがシンプルな構成であることから、コミュニケーションの内容に応じて異なった色彩、図柄など状況に適したスクリーンに低コストで交換可能となる。
【０００９】
本考案の背景用スクリーンの支持用ステイは、複数のシート状部材からなり、前記複数のシート状部材は折り曲げて各々を嵌め合わせることによって使用時の形状になるように形成され、嵌め合わせを解消し分解することで、元の平板状のシート状に戻ることを特徴とする。
本発明によれば、複数のシート材を折り曲げて、それぞれを嵌め合わせて支持用ステイを形成するので、使用時の支持用ステイとしての強度向上と、不使用時に分解し元の平板のシート状に戻ることによる省スペース化の両立が可能となる。
【００１０】
本考案の背景用スクリーンの支持用ステイは、複数の支柱と、前記複数の支柱を繋ぐ複数の横架材により構成され、前記複数の横架材には、前記スクリーンに接触する部分に、前記スクリーンを湾曲させ、湾曲状態を維持するためのアール形状が形成されていることを特徴とする。また、前記接合機構は、前記支持用ステイに配される磁石と、前記スクリーン背面に配される金属板によって構成されることを特徴とし、更に具体的には、前記支持用ステイを構成する支柱の前記スクリーン背面に接する面に配される磁石と、スクリーン背面の、前記支柱の位置に対応した位置に配される磁性を有する金属板によって構成されることを特徴とする。
本考案によれば、アール形状が形成された横架材が垂直方向に複数配されることにより、スクリーンの湾曲状態維持が容易となるとともに、接合機構に磁石と金属板を使用することで、スクリーンを上昇させ、スクリーンの上方が支柱と接合していない状態であっても、スクリーン背面に配された金属板がスクリーンの湾曲状態維持に寄与することになる。
また、本考案としては、前記支持用ステイがジャバラ状に折り畳まれることを特徴とする。
本考案によれば、前記支持用ステイがジャバラ状に折り畳まれることから、コンパクトに折り畳むことができる。
そして、前記支持用ステイと前記スクリーンは段ボール製にすることで、安価な費用で製造することができる。
【００１１】
また、本考案は、前記背景用スクリーンが上部スクリーンと下部スクリーンに分割され、前記上部スクリーンの下端と前記下部スクリーンの上端には、複数本の切り込みにより複数に分割されて嵌め合わせ部が形成され、前記上部スクリーンの下端と前記下部スクリーンの上端の前記嵌め合わせ部を前後交互に嵌め合わせることにより前記上部スクリーンと前記下部スクリーンが連結されていることを特徴とする。
本考案によれば、背景用スクリーンを上下に分割することで運搬や移動を容易にし、また、上部スクリーンの下端と下部スクリーンの上端に、複数本の切り込みにより複数に分割して嵌め合わせ部を形成し、嵌め合わせ部を前後交互に嵌め合わせることにより、上下スクリーンのスムーズで強固な連結を実現する。
また、本考案としては、前記上部スクリーンの下端と前記下部スクリーンの上端の前記嵌め合わせ部の端部に切り込みが設けられて折り曲げ面が形成され、前記上部スクリーンと前記下部スクリーンを連結させるとき、前記上部スクリーンと前記下部スクリーンの前記折り曲げ面が折り曲げられて互いに接触することを特徴とする。
本考案によれば、上下スクリーンに折り曲げ面を有し、上下スクリーンを連結させたときそれぞれの折り曲げ面が互いに接触することで、上部スクリーンのズレや傾きを防止する効果を発揮する。
【考案の効果】
【００１２】
薄さを担保したシート材とスクリーンと接合機構のみで構成された本考案により、不使用時にはコンパクトな状態での収納を実現し、使用時には、支持用ステイと接合機構で、スクリーンの湾曲を維持し、省スペースでありながら、室内の映り込みをなくし、プライバシー保護に貢献するとともに、色彩や図柄が異なる複数のスクリーンを状況に応じて選択して使用することが可能となる。
また、スクリーンの高さ位置が自在に変更できることにより、使用状態（着席状態または起立状態など）を問わず使用でき、スクリーンを湾曲した状態で使用することにより集音効果が増すといった効果も得ることができる。
【図面の簡単な説明】
【００１３】
【図１】本考案の第一の実施形態の背景用スクリーンを示す斜視図である。
【図２】上記第一の実施形態の背景用スクリーンの別角度の斜視図である。
【図３】上記第一の実施形態のスクリーンを示す斜視図である。
【図４】上記第一の実施形態の支持用ステイを構成する支柱を示す斜視図である。
【図５】上記第一の実施形態の支持用ステイを構成する支柱の使用状態を示す斜視図である。
【図６】上記第一の実施形態の支持用ステイを構成する横架材を示す斜視図である。
【図７】上記第一の実施形態の支持用ステイを構成する横架材の使用状態を示す斜視図である。
【図８】上記第一の実施形態の支持用ステイの組立工程を示す斜視図である。
【図９】上記第一の実施形態の支持用ステイの組立工程を示す斜視図である。
【図１０】上記第一の実施形態の支持用ステイの組立完成状態を示す斜視図である。
【図１１】上記第一の実施形態の支持用ステイの使用状態を示す斜視図である。
【図１２】上記第一の実施形態のスクリーンを上昇させた状態を示す斜視図である。
【図１３】上記第一の実施形態のスクリーンを上昇させた状態を示す別角度の斜視図である。
【図１４】上記第一の実施形態と上記実施形態とは別のスクリーンの使用状態を示す図である。
【図１５】従来の背景用スクリーンを示す図である。
【図１６】本考案の第二の実施形態の背景用スクリーンを示す斜視図である。
【図１７】上記第二の実施形態の背景用スクリーンを示す別角度の斜視図である。
【図１８】上記第二の実施形態の支持用ステイを折り畳んだ状態を示す斜視図である。
【図１９】上記第二の実施形態の支持用ステイの使用状態を示す斜視図である。
【図２０】上記第二の実施形態の支持用ステイを折り畳んだ状態の拡大図である。
【図２１】上記第二の実施形態のスクリーンの上下への移動を示す斜視図である。
【図２２】本考案の第三の実施形態の背景用スクリーンを示す斜視図である。
【図２３】上記第三の実施形態の背景用スクリーンを示す別角度の斜視図である。
【図２４】上記第三の実施形態の横架材（支持用ステイＨ）を示す平面図である。
【図２５】上記第三の実施形態のスクリーンの両翼部を示す斜視図である。
【図２６】上記第三の実施形態のスクリーンの両翼部を示す斜視図である。
【図２７】上記第三の実施形態のスクリーンの両翼部を示す斜視図である。
【図２８】上記第三の実施形態のスクリーンの両翼部を示す斜視図である。
【図２９】上記第三の実施形態のスクリーンの中央部を示す斜視図である。
【図３０】上記第三の実施形態のスクリーンの中央部を示す斜視図である。
【図３１】上記第三の実施形態のスクリーンの構成を示す斜視図である。
【図３２】上記第三の実施形態の組立ステップを示す斜視図である。
【図３３】上記第三の実施形態の組立ステップを示す斜視図である。
【図３４】上記第三の実施形態の組立ステップを示す斜視図である。
【図３５】上記第三の実施形態の組立ステップ（完成）を示す斜視図である。
【図３６】上記第三の実施形態のスクリーンを閉じた状態を示す斜視図である。
【図３７】上記第三の実施形態のスクリーンの開閉状態を示す斜視図である。
【図３８】本考案の第三の実施形態の派生形の背景用スクリーンを示す斜視図である。
【図３９】上記第三の実施形態の派生形の背景用スクリーンを示す別角度の斜視図である。
【図４０】上記第三の実施形態の派生形の背景用スクリーンが上部スクリーンと下部スクリーンに分割された状態を示す斜視図である。
【図４１】上記第三の実施形態の派生形の背景用スクリーンの下部スクリーンを示す斜視図である。
【図４２】上記第三の実施形態の派生形の背景用スクリーンの下部スクリーンを示す別角度の斜視図である。
【図４３】上記第三の実施形態の派生形の背景用スクリーンの下部スクリーンを示す分解斜視図である。
【図４４】上記第三の実施形態の派生形の背景用スクリーンの下部スクリーンを示す別角度の分解斜視図である。
【図４５】上記第三の実施形態の派生形の背景用スクリーンの上部スクリーンの下端及び下部スクリーンの上端の一例を示す斜視図である。
【図４６】上記第三の実施形態の派生形の背景用スクリーンの上部スクリーンの下端及び下部スクリーンの上端が連結した状態の一例を示す斜視図である。
【図４７】上記第三の実施形態の派生形の背景用スクリーンの上部スクリーンの下端の一例を示す図である。
【図４８】上記第三の実施形態の派生形の背景用スクリーンの上部スクリーンの下端及び下部スクリーンの上端が連結した状態の一例を示す図である。
【考案を実施するための形態】
【００１４】
以下、本考案を実施するための一形態について、図面を引用しながら説明する。
【実施例１】
【００１５】
図１及び図２は本考案の第一の実施形態の背景用スクリーン１００を示す斜視図である。
本実施の形態における背景用スクリーン１００は、スクリーンＳと、後述するスクリーンＳを保持する支持用ステイＨにより構成されている。
スクリーンを保持する支持用ステイＨは２本の支柱（Ｐａ、Ｐｂ）と、その２本の支柱を繋ぐ横架材（Ｂａ、Ｂｂ）により構成されている。
【００１６】
（スクリーンＳについて）
本考案のスクリーンＳは、矩形の薄いシート材であり、硬質の紙やポリ塩化ビニルをはじめとする合成樹脂など、湾曲形状を維持しつつ、支持用ステイＨに保持可能な強度と柔軟性を有することが好ましいが、段ボールで構成することも可能である。段ボールでスクリーンＳを構成する場合、その折り曲げ（湾曲）は段ボールの折り畳み線や切り欠きを利用して湾曲させるとともに、支持用ステイＨのアール形状（Ｂａｒ、Ｂｂｒ）により保持する。なお、スクリーンＳには、表面に様々な色彩や図柄が表現できる材質が好ましいが、これらの張り紙を張り替えて、絵柄を種々変更することができる。
また、図３に示すように、スクリーンＳの裏面、支持用ステイＨを構成する支柱Ｐと接する箇所には、金属板Ｋが貼り付けられている。
【００１７】
（支持用ステイＨについて）
本実施の形態の支持用ステイＨは、図４に示すような複数の切り欠きＣｐを設けた形状に打ち抜いて形成されたシート材を、同じく打ち抜き時に設けた折り曲げ線（切込み）Ｆｐで折り曲げて、図５に示す支柱Ｐを形成する。この支柱Ｐを２本準備する（Ｐａ、Ｐｂ）。この支柱Ｐａ及びＰｂの上記スクリーンＳと接する面をＰａｆ、Ｐｂｆとする。
次に、図６に示すような複数の切り欠きＢｐを設けた形状に打ち抜いて形成されたシート材を、同じく打ち抜き時に設けた折り曲げ線（切り込み）Ｂｐで折り曲げて、図７に示す横架材Ｂを形成する。この横架材Ｂを２本準備する（Ｂａ、Ｂｂ）が、横架材Ｂにはスクリーンを湾曲させた状態で保持するためのアール形状（Ｂａｒ、Ｂｂｒ）が形成されるように打抜かれている点が重要となる。
また、支持用ステイＨを構成する支柱Ｐ及び、横架材Ｂには薄いシート材を折り曲げて使用するが、これは使用時の強度を上げる効果と、不使用時には平板に戻して収納の省スペースを実現するためであり、本実施の形態では打ち抜き等により所望する形状を得やすく、薄さと強度向上の両立が可能な段ボールシートを使用している。
そして上述のように得られた支柱Ｐ（Ｐａ、Ｐｂ）と横架材Ｂ（Ｂａ、Ｂｂ）を、それぞれに設けられた切り欠き（Ｃｐ、Ｂｐ）を嵌め合わせるように組み立てることで、支持用ステイＨが完成する（図８〜図１０）。
【００１８】
（接合機構について）
本実施の形態において、支持用ステイＨを構成する２本の支柱Ｐａ、ＰｂのスクリーンＳとの接する面Ｐａｆ、Ｐｂｆにはシート状の磁石Ｍが貼り付けられており（図１１）、スクリーンＳの裏面に設けられた金属板Ｋと引き合い、吸着することでスクリーンＳが支持用ステイＨを構成する横架材のアール形状を維持した状態で保持される。
ここで使用される磁石Ｍはシート状のものに限られず、支柱Ｐａ、Ｐｂの幅に応じた複数の磁石Ｍを所定の間隔をあけて並べるようにしても良い。
この接合機構により、スクリーンＳを適宜上昇させることが可能となり、使用者の使用状態（着席状態、起立状態）や、使用されるカメラにより異なる撮影領域を問わず背景用スクリーンを利用できる（図１２、図１３）。
尚、本実施の形態においては金属板Ｋと磁石Ｍにより接合機構としたが、面ファスナなどその他の手段を用いて接合機構としても良い。
【００１９】
このようにスクリーンＳと、支柱Ｐと横架材Ｂからなる支持用ステイＨを接合機構で、横架材に設けられたアール形状Ｂｒに沿ってスクリーンＳを保持することにより、図１４に示すように、撮影範囲（横方向）Ｒが同一でも、平面状のスクリーンの場合に必要となる幅Ｗ２と比較して本実施の形態のスクリーンＳの幅Ｗ２を狭くできることで、使用時の省スペースを実現する。
通常リモート会議時には参加者の声を聴くためのイヤホン、自身の声を届けるためのマイク、もしくはその両方の機能を兼ね備えたヘッドセットが必要になる場合が多いが、本実施の形態の背景用スクリーンは一人の使用者を包むように設置されるため、集音機能が向上し、ヘッドセットなどの製品を必要としない効果も得ることができる。
【実施例２】
【００２０】
本考案の第二の実施の形態は、図１６、図１７に示すように支持用ステイの構成が第一の実施形態と異なる。
【００２１】
本実施の形態における支持用ステイＨは、段ボール等、矩形のシート材からなっており、山折りと谷折りが交互になるジャバラ折り（ジグザグ状に折り畳むこと）ができるように、所定間隔に切込み（スリット）が設けられている（図１８）。この切込みによってシート材がジャバラ折りされることで表れる複数のシート片をそれぞれＨｓとすると、各Ｈｓの開き具合で容易に湾曲具合を調節できる。
また、スクリーンＳと接する面Ｈｆを設けるため、変則的な間隔で切込が入れられており（図１９、図２０）、スクリーンと接する面Ｈｆにはシート状の磁石Ｍが貼り付けられている（図示せず）。
スクリーンＳは第一の実施形態と同様に、支持用ステイＨのスクリーンＳと接する面Ｈｆに対応した位置に金属板Ｋを備えており、シート状の磁石Ｍとともに接合機構を構成する。これにより、スクリーンＳを所望する高さに移動させることも可能で、図２１のようにスクリーンＳを上昇させた状態でも金属板Ｋにより湾曲形状を保持させることが可能となる。
さらに、本実施の形態の支持用ステイＨは、その構成により、組立てが不要で簡単に設置でき、不使用時もコンパクトに折り畳まれる点と、左右方向への伸縮に加え、スクリーンＳの湾曲具合も無段階に調整可能で、使用場所、使用機材を選ばないという独自のメリットを有する。
【実施例３】
【００２２】
図２２、図２３は、本考案の第三の実施の形態を示す別角度からの斜視図であり、矩形の３枚のスクリーンＳの折り曲げ方と、複数の横架材Ｂとの組み合わせにより、上記第１と第２の二つの実施形態と異なった構成となる背景用スクリーンである。以下、図面に沿って説明する。
【００２３】
（横架材について）
図２４は本実施の形態における横架材Ｂの平面図であり、後述するスクリーンＳを嵌め込み、固定するための切り欠きＢｐが４箇所設けられている。また、スクリーンＳを湾曲させた状態で保持するためのアール形状Ｂｒが形成されている。本実施の形態における横架材Ｂは同時に支持用ステイＨを構成する。段ボール等のシート材であり、上下方向に３本用いることで、スクリーンＳの安定を図っている（図３２参照）。
【００２４】
（スクリーンについて）
本実施の形態におけるスクリーンＳは段ボール等の矩形のシート材３枚（Ｓｆ、Ｓｌ、Ｓｒ）からなり、所定位置に横架材Ｂの切り欠きＢｐと嵌め合わせるための切り欠きＳｐが打抜かれて形成されており、スクリーンＳの左右部分を担うスクリーンＳｌとスクリーンＳｒは対称に形成され、使用される。
また各スクリーンＳの所定箇所には、折り畳むための折り曲げ線Ｆｓが形成されており、スクリーンＳｌとスクリーンＳｒにおいては、折り曲げ線Ｆｓにより使用時の強度を得るための重ね合わせ面Ｓｒを形成している（図２５〜図３１）。さらに図示しないがスクリーンの湾曲面Ｓｓ（Ｓｓ１、Ｓｓ２）を構成する部分のシート材には湾曲させるため、長手方向に複数のスリットまたは折り曲げ線が等間隔に設けられている。
【００２５】
（組立て）
図３２から図３５は、本実施の形態における背景用スクリーンの組立ステップとなっており、横架材Ｂを３本準備し各横架材Ｂに設けられた切り欠きＢｐと、スクリーンＳｆに設けられたＳｐとを嵌め合わせる。
次に、スクリーンＳｌ（Ｓｒ）の重ね合わせ面Ｓｒを重ね合わせるように折り曲げることで形成される切り欠きも含めた切り欠きＳｐと横架材Ｂに設けられた切り欠きＢＰを嵌め合わせ、他方のスクリーンＳｒ（Ｓｌ）を同様に嵌め合わせる。
この構成により、上記第１と第２の二つの実施形態とは異なり、磁石と金属板Ｍ、面ファスナなどの接合機構が不要となり、シート材（Ｓｆ、Ｓｌ、Ｓｒ）のみで背景用スクリーンを構成することができ、製造工程の短縮が図られる。
さらに、折り曲げ線Ｆｓにより、スクリーンＳｌ（Ｓｒ）の左右端面Ｓｌｅ（Ｓｒｅ）は所望する角度に開閉するので（図３６）、使用場所、使用機器に限定されず利用でき、不使用時には折り畳んで収納スペースの節約し（図３７）、さらには各部材を分解し、平板な状態で収納することもできる。
【００２６】
（第三の実施形態の派生形）
上述の第三の実施の形態に示された背景用スクリーン３００は、着席状態、起立状態など使用者の使用環境に対応すべく、使用者の背丈よりも高い３枚のスクリーンが必要とされ、運搬や移動が難儀であるという問題を有している。
そこで、図３８から図４８に示す背景用スクリーン３００ａは、第三の実施の形態が有している上記問題を解消する派生形である。
【００２７】
背景用スクリーン３００ａの使用状態（完成形態）は、上述の第三の実施の形態に示した背景用スクリーン３００と同様の形状だが、図３８から図４０に示すように、スクリーンＳが、上部クリーンＳｕ、下部スクリーンＳｄに分割されている点が特徴となる。
図４１から図４４は、下部スクリーンＳｄを示しているが、第三の実施形態の背景用スクリーン３００のスクリーンＳと同様に、下部スクリーンＳｄは段ボール等の矩形のシート材３枚（Ｓｄｆ、Ｓｄｌ、Ｓｄｒ）からなる。上部スクリーンＳｕも、同様に段ボール等の矩形のシート材３枚からなり、背景用スクリーン３００ａは６枚のスクリーンにより構成される。
【００２８】
また、スクリーン分割に対応し横架材の設置位置、設置数も第三の実施の形態に示したものと異なっている。図４１から図４４に示すように、横架材ＢｄとＢｇはスクリーンＳｄｆとＳｄｌ及びＳｄｆとＳｄｒを連結する切り欠きを有し、横架材Ｂｅは、スクリーンＳｄｆとＳｄｒを連結する切り込みとスクリーンＳｄｒの端部を保持する切り欠きを有し、横架材Ｂｆは、スクリーンＳｄｆとＳｄｌを連結する切り欠き（Ｂｐ）とスクリーンＳｄｌの端部を保持する切り欠きを有し、スクリーンと横架材をそれぞれ嵌め合わせる。
しかしながら、横架材の設置位置、設置数ここに示された内容に限らず適宜変更が可能である。
【００２９】
（分割されたスクリーンの連結方法）
分割されたスクリーンの連結方法として一例を示す。背景用スクリーン３００ａは３枚のスクリーンが上下分割され、６枚のスクリーンにより構成されるが、ここでは一対の上部スクリーンＳｕと下部スクリーンＳｄを抽出し説明する。
図４５に示すように上部スクリーンＳｕの下端及び、下部スクリーンＳｄの上端には、鉛直方向に複数の切り込みＮが設けられ、嵌め合わせ部Ｕを形成する。前記複数の切り込みＮで仕切られた先端の角部Ｅは滑らかに丸められてアール形状を有しているが、アール形状を有さず真っ直ぐな線で嵌め合わせ部Ｕを形成してもよい。この構成により、上下スクリーンＳｕ、Ｓｄのスムーズな連結を実現する。
図４６は、上部スクリーンＳｕと下部スクリーンＳｄが連結した状態を示すが、図示されているように２本の切り込みＮにより３分割された上部スクリーンＳｕの下端と、前記上部スクリーンＳｕの下端に対応する下部スクリーンＳｄの上端を前後交互に嵌め合わせることにより、強固な連結が可能となる。なお、切り込みＮは２本に限定されず、複数本の切込みにより複数に分割されていてもよい。
さらに、横架材と嵌め合わせられる各スクリーンＳの嵌め合わせ部Ｕの端部にもスクリーンＳと同様に切り込みＮａが設けられ、折り曲げ面Ｔを形成する。切り込みＮａの切込みの深さは切込みＮとは異なっている。上部スクリーンＳｕと下部スクリーンＳｄを連結させると、上部スクリーンＳｕの嵌め合わせ部Ｕの端部に設けられた折り曲げ面Ｔと、下部スクリーンＳｄの嵌め合わせ部Ｕの端部に設けられた折り曲げ面Ｔが接することで、上部スクリーンＳｕのズレや傾きを防止する効果を発揮する。
【００３０】
図４７は、上部スクリーンＳｕの下端の別の一例を示す図であり、図４８は、上部スクリーンＳｕの下端及び下部スクリーンＳｄの上端が連結した状態の別の一例を示す図である。
図４７に示すように、切込みＮを斜めになるように設けることによって、図４８に示すように上部スクリーンＳｕと下部スクリーンＳｄを連結させたときに嵌め合わせ部Ｕがしっかりと噛みあい、外れにくく抜けにくい構造となり、強固な連結を実現する。したがって、段ボールと段ボールの連結部をどこに設ける場合でも、簡単な構造にして、強固に連結することができる。
【００３１】
以上、本考案では、上記実施の形態に限定されるものではなく、その趣旨を逸脱しない範囲で適宜変更が可能である。例えば、図４５及び図４６に示すように、３枚のスクリーンＳ（上下分割で６枚のスクリーン）を繋ぎとめる手段として、第三の実施の形態に示した方法だけでなく、中央のスクリーンと左右端のスクリーンを、横架材を追加して繋ぎとめる方法も考えられる。
また、前記段ボール製のスクリーンＳは、その裏面に設けた折り畳み線やスリットを利用して湾曲させることが可能である。また、前記支持用ステイＨと前記スクリーンＳは段ボール製であり、これら互いのスリットを利用して掛止して湾曲させることが可能である。
【符号の説明】
【００３２】
１００，２００，３００，３００ａ  背景用スクリーン、
Ｂ，Ｂａ，Ｂｂ          横架材、
Ｂｒ，Ｂａｒ，Ｂｂｒ    横架材に設けられた湾曲部（アール形状）、
Ｂｐ                    切り欠き（横架材側）、
Ｃｐ                    切り欠き（支柱側）、
Ｅ                      上部スクリーン及び下部スクリーンの角部、
Ｆｂ                    折り曲げ線（横架材側）、
Ｆｐ                    折り曲げ線（支柱側）、
Ｆｓ                    折り曲げ線（スクリーン側）、
Ｈ                      支持用ステイ、
Ｋ，Ｋａ，Ｋｂ          金属板（接合機構）、
Ｍ                      磁石板（接合機構）、
Ｎ，Ｎａ                上部スクリーン及び下部スクリーンに設けられた切り込み、
Ｐ，Ｐａ，Ｐｂ          支柱、
Ｐａｆ，Ｐｂｆ          支柱のスクリーンに接する面、
Ｒ                      カメラの撮影範囲（横方向）、
Ｓ                      スクリーン、
Ｓｅ                    スクリーンの左右端部、
Ｓｐ                    スクリーンに設けられた切り欠き、
Ｓｒ                    スクリーンに強度を持たせるための重ね合わせ面、
Ｓｓ，Ｓｓ１，Ｓｓ２    スクリーンの湾曲面、
Ｓｕ                    上部スクリーン、
Ｓｄ                    下部スクリーン、
Ｔ                      嵌め合わせ部の端部に設けられた折り曲げ面、
Ｕ                      嵌め合わせ部、
Ｗ１，  Ｗ２            スクリーンの幅、
Ｘ                      カメラ、
Ｙ                      上記実施形態とは別の平面状のスクリーン、
Ｚ                      使用者
【図１】
0003229409.tif 000003
【図２】
0003229409.tif 000004
【図３】
0003229409.tif 000005
【図４】
0003229409.tif 000006
【図５】
0003229409.tif 000007
【図６】
0003229409.tif 000008
【図７】
0003229409.tif 000009
【図８】
0003229409.tif 000010
【図９】
0003229409.tif 000011
【図１０】
0003229409.tif 000012
【図１１】
0003229409.tif 000013
【図１２】
0003229409.tif 000014
【図１３】
0003229409.tif 000015
【図１４】
0003229409.tif 000016
【図１５】
0003229409.tif 000017
【図１６】
0003229409.tif 000018
【図１７】
0003229409.tif 000019
【図１８】
0003229409.tif 000020
【図１９】
0003229409.tif 000021
【図２０】
0003229409.tif 000022
【図２１】
0003229409.tif 000023
【図２２】
0003229409.tif 000024
【図２３】
0003229409.tif 000025
【図２４】
0003229409.tif 000026
【図２５】
0003229409.tif 000027
【図２６】
0003229409.tif 000028
【図２７】
0003229409.tif 000029
【図２８】
0003229409.tif 000030
【図２９】
0003229409.tif 000031
【図３０】
0003229409.tif 000032
【図３１】
0003229409.tif 000033
【図３２】
0003229409.tif 000034
【図３３】
0003229409.tif 000035
【図３４】
0003229409.tif 000036
【図３５】
0003229409.tif 000037
【図３６】
0003229409.tif 000038
【図３７】
0003229409.tif 000039
【図３８】
0003229409.tif 000040
【図３９】
0003229409.tif 000041
【図４０】
0003229409.tif 000042
【図４１】
0003229409.tif 000043
【図４２】
0003229409.tif 000044
【図４３】
0003229409.tif 000045
【図４４】
0003229409.tif 000046
【図４５】
0003229409.tif 000047
【図４６】
0003229409.tif 000048
【図４７】
0003229409.tif 000049
【図４８】
0003229409.tif 000050